(57)【要約】【課題】ロック解除信号によりロックを解除するロックシステムに関し、ロックやロック解除の誤動作防止、ロック解除信号を受信する受信部側の消費電力の低減にある。【解決手段】ロックをロック解除信号により解除する機器に対し、ロック解除信号の送信タイミングに不規則性を持たせてロック解除信号の混信を回避し、ロックやその解除の誤動作を防止している。また、ロック解除信号の受信に関し、その受信期間と受信停止期間とを設定することにより受信ウインドウを設定し、受信期間以外の受信部の動作を停止させることにより、消費電力の低減を図っている。【選択図】    図１
2007274670.tif 000002
【特許請求の範囲】
【請求項１】
ロック解除信号によりロックを解除するロックシステムであって、
送信タイミングに不規則性を持たせたロック解除信号を送信する送信部と、
前記送信部から送信される前記ロック解除信号が所定時間内に受信できた場合にロックを解除するロック解除部と、
を備えることを特徴とするロックシステム。
【請求項２】
ロック状態にある機器に対し、ロック解除信号を送信するロック解除装置であって、
送信タイミングに不規則性を持たせたロック解除信号を送信する送信部を備えることを特徴とするロック解除装置。
【請求項３】
請求項２のロック解除装置において、
前記送信部は、送信する前記ロック解除信号の周波数を異ならせて送信することを特徴とするロック解除装置。
【請求項４】
請求項２のロック解除装置において、
前記ロック解除信号を送信させるスイッチを備え、前記スイッチの操作を受け、前記送信部が前記ロック解除信号を送信することを特徴とするロック解除装置。
【請求項５】
ロック解除信号が所定時間中に受信できなければロック状態に制御される機器であって、
前記ロック解除信号を受信する受信部と、
前記受信部に前記ロック解除信号の受信期間と受信停止期間とを設定し、前記受信停止期間で前記受信部の動作を停止させる受信制御部と、
を備えることを特徴とする機器。
【請求項６】
ロック状態にある機器のロックをロック解除信号により解除するロック解除方法であって、
送信タイミングに不規則性を持たせたロック解除信号を送信する処理を含むことを特徴とするロック解除方法。
【請求項７】
ロック状態にある機器に対し、ロック解除信号を送信するロック解除装置に搭載される回路装置であって、
送信タイミングに不規則性を持たせたロック解除信号を送信する送信部を回路基板に備えることを特徴とする回路装置。
【発明の詳細な説明】
【技術分野】
【０００１】
本発明は、携帯電話機等の各種機器に対する機能のロック又はそのロック解除に用いられるロックシステムに関し、特に、ロック解除信号によりロックを解除するロックシステム、ロック解除装置、携帯端末装置等の各種の機器、ロック解除方法、ロック解除プログラム及び回路装置に関する。
【背景技術】
【０００２】
携帯電話機では他人の不正使用や電話帳データ等の秘密性保持のため、ダイヤルロック機能を付加し、ダイヤルロックを設定した際には、暗証番号の入力等、本人以外によるロック解除を阻止する対策が講じられている。
【０００３】
このようなロック機能に関し、下記の特許文献１〜５等が存在し、特許文献１では、携帯電話機からロック解除コードを微弱電波によりロック解除装置に送信し、ロック解除コードとＩＤ情報とで認証演算を行った結果をロック解除装置から携帯電話機に送信し、認証演算結果に基づき携帯電話機のロック状態を解除することが開示されている。
【０００４】
特許文献２では、携帯電話機に音声認識機能を付加し、遠隔地から携帯電話機にユーザの音声信号を認識させてダイヤルロックの設定や解除を行うことが開示されている。
【０００５】
特許文献３には、通信範囲内に存在する複数の機器間での通信を許可し、何れかの機器が通信範囲から外れると、全ての機器の通信を自動的にロックし、通信範囲外にあった機器が通信範囲内に復帰した際にはそのロックを解除することが開示されている。
【０００６】
特許文献４では、外部から赤外線を用いて送信されたロック制御情報を携帯電話機に受信させ、携帯電話機の状態判断及びロック制御情報に基づき、携帯電話機のロック又はロック解除を行うことが開示されている。
【０００７】
また、特許文献５には、携帯電話機に対してロック解除装置からダイヤルロック又はロック解除を行うとともに、ロック解除の後、一定時間の間、携帯電話機でロック解除装置からのコードが受信できない場合には、ダイヤルロックに移行させることが開示されている。
【特許文献１】特開２００１−２４５３５４号公報
【特許文献２】特開２０００−１６５５１１号公報
【特許文献３】特開２００３−２８９３０７号公報
【特許文献４】特開平９−９８４８８号公報
【特許文献５】特開平９−６４９６７号公報
【発明の開示】
【発明が解決しようとする課題】
【０００８】
ところで、このように携帯電話機等の機器に設定されるロックやロック解除に無線信号を用いるロックシステムでは、一定周期の通信や同一周波数の無線信号を用いた場合、作業場や事務所等の隣席同士や電車内等で複数の無線信号が飛び交うため、その混信等の電波障害によって通信不能になったり、無線信号の正確な受信ができないため、ロックやロック解除ができないという不都合がある。
【０００９】
このような課題について、特許文献１〜５には、その開示や示唆はなく、それを解決する構成の開示や示唆もない。
【００１０】
そこで、本発明の第１の目的は、ロック解除信号によりロックを解除するロックシステムに関し、ロックやロック解除の誤動作防止にある。
【００１１】
また、本発明の第２の目的は、ロック解除信号によりロックを解除するロックシステムに関し、ロック解除信号を受信する受信部側の消費電力の低減にある。
【課題を解決するための手段】
【００１２】
上記第１の目的を達成するため、本発明は、ロックをロック解除信号により解除する機器に対し、ロック解除信号の送信タイミングに不規則性を持たせてロック解除信号の混信を回避し、ロックやその解除の誤動作を防止している。また、上記第２の目的を達成するため、本発明は、ロック解除信号の受信に関し、その受信期間と受信停止期間とを設定することにより受信ウィンドウを設定し、受信期間以外の受信部の動作を停止させることにより、消費電力の低減を図っている。
【００１３】
上記第１の目的を達成するため、本発明の第１の側面は、ロック解除信号によりロックを解除するロックシステムであって、送信タイミングに不規則性を持たせたロック解除信号を送信する送信部と、前記送信部から送信される前記ロック解除信号が所定時間内に受信できた場合にロックを解除するロック解除部とを備える構成である。斯かる構成によれば、ロック解除信号の送信タイミングに不規則性を持たせているので、複数のロック解除信号の混信を回避でき、ロック解除信号の受信精度が高まり、誤動作を防止でき、上記第１の目的が達成される。
【００１４】
上記第１の目的を達成するため、本発明の第２の側面は、ロック状態にある機器に対し、ロック解除信号を送信するロック解除装置であって、送信タイミングに不規則性を持たせたロック解除信号を送信する送信部を備える構成である。斯かる構成によっても、上記第１の目的を達成することができる。
【００１５】
上記第１の目的を達成するためには、上記ロック解除装置において、好ましくは、前記送信部は、送信する前記ロック解除信号の周波数を異ならせて送信する構成としてもよい。斯かる構成によっても、上記第１の目的を達成することができる。
【００１６】
上記第１の目的を達成するためには、上記ロック解除装置において、好ましくは、前記ロック解除信号を送信させるスイッチを備え、前記スイッチの操作を受け、前記送信部が前記ロック解除信号を送信する構成としてもよい。斯かる構成では、スイッチ操作に応じて即時にロック解除信号を送信することが可能であって、斯かる構成によっても、上記第１の目的を達成することができる。
【００１７】
上記第２の目的を達成するため、本発明の第３の側面は、ロック解除信号が所定時間中に受信できなければロック状態に制御される機器であって、前記ロック解除信号を受信する受信部と、前記受信部に前記ロック解除信号の受信期間と受信停止期間とを設定し、前記受信停止期間で前記受信部の動作を停止させる受信制御部とを備える構成である。斯かる構成とすれば、ロック解除信号の受信を停止する受信停止期間を設定したので、消費電力の低減が図られる。
【００１８】
上記第１の目的を達成するため、本発明の第４の側面は、ロック状態にある機器のロックをロック解除信号により解除するロック解除方法であって、送信タイミングに不規則性を持たせたロック解除信号を送信する処理を含む構成である。斯かる構成によっても、上記第１の目的を達成することができる。
【００１９】
上記第１の目的を達成するため、本発明の第５の側面は、ロック状態にある機器に対し、ロック解除信号を送信するロック解除装置に搭載される回路装置であって、送信タイミングに不規則性を持たせたロック解除信号を送信する送信部を回路基板に備える構成である。斯かる構成によっても、上記第１の目的を達成することができる。
【発明の効果】
【００２０】
本発明によれば、次の効果が得られる。
【００２１】
(1) 送信タイミングに不規則性を持たせたロック解除信号の送信によりロックを解除するので、ロック解除信号の混信等の障害を克服でき、ロックやロック解除の誤動作を防止できる。
【００２２】
(2) ロック解除信号を受信する受信側にロック解除信号の受信期間と受信停止期間とを設定し、受信停止期間で受信側の動作を停止させるので、消費電力を低減することができる。
【発明を実施するための最良の形態】
【００２３】
〔第１の実施の形態〕
【００２４】
本発明の第１の実施の形態について、図１及び図２を参照して説明する。図１は、携帯電話機のロックシステムを示す図、図２は、ロック解除動作のタイミングチャートを示す図である。図１及び図２において、同一部分には同一符号を付してある。
【００２５】
このロックシステム２は、図１に示すように、ダイヤルロック機能等の抑止機能を備え、ロック解除信号によってロックが解除される機器として例えば、携帯電話機４及びロック解除装置６を備え、ロック解除装置６からロック解除信号としてロック解除コード信号８を送信し、これを携帯電話機４で受信する構成であって、このロックシステム２では、ロック解除コード信号８の送信タイミングに不規則性が付与されているとともに、携帯電話機４にロック解除コード信号８を受信することができる受信ウィンドウとして受信期間Ｔｏｎと、その受信を停止する受信停止期間Ｔｏｆｆとを設定している。このロックシステム２において、携帯電話機４は、ロック解除信号によってロックを解除するロック解除部を構成し、ロック解除装置６は、ロック解除信号を送信する送信部を構成する。
【００２６】
このロックシステム２では、図２のＡに示すように、ロック解除装置６から基準タイミングに対して不規則性を持つ送信タイミングＴｓ１、Ｔｓ２、Ｔｓ３・・・（Ｔｓ１≠Ｔｓ２≠Ｔｓ３・・・）を持つロック解除コード信号８を不連続的に送信させ、図２のＢに示すように、携帯電話機４側にはロック解除コード信号８を受信する受信ウィンドウとして一定周期Ｔで受信期間Ｔｏｎと受信停止期間Ｔｏｆｆが設定されている。受信期間Ｔｏｎ時間は、ロック解除コード信号８を受信することが可能な期間であるから、ロック解除コード信号８の時間幅より大なる時間幅に設定され、周期Ｔの時間は、例えば、ロック解除コード信号８が到来する時間幅に設定すればよい。図２のＣは、基準時間を表す基準時間スケールであり、図２のＤは、ロック解除コード信号８に含まれる解除コードＬＣであり、この解除コードＬＣは、ユーザにより設定される暗証番号等である。
【００２７】
このロックシステム２によれば、ロック解除コード信号８の送信タイミングに不規則性を持たせているので、携帯電話機４に対するロック解除コード信号８と隣接機器に対するロック解除コード信号との混信等による障害を防止でき、誤動作が防止される。従って、ロック機能の信頼性が維持される。
【００２８】
また、携帯電話機４側には、設定されたロック解除コード信号８を受信する受信ウィンドウとして受信期間Ｔｏｎと、その受信を停止する受信停止期間Ｔｏｆｆとを設定したので、受信停止期間Ｔｏｆｆによって消費電流を抑制できる。この場合、受信停止期間Ｔｏｆｆで給電を停止すれば、電源部のバッテリの消費を抑制することができる。
【００２９】
そして、携帯電話機４とロック解除装置６との距離が一定の範囲、即ち、ロック解除装置６から発せられる微弱無線信号であるロック解除コード信号８が受信できない場合には、一定時間Ｔｘ（例えば、図２のＢのＴｘ）の経過後、携帯電話機４はロック状態に切り替えられる。この一定時間Ｔｘの計時の開始点は、受信ウィンドウの受信期間Ｔｏｎから受信停止期間Ｔｏｆｆに切り替わる各時点、又は受信停止期間Ｔｏｆｆから受信期間Ｔｏｎに切り替わる時点等の何れでもよい。
【００３０】
このように、ロック解除コード信号８が到達しない場合には、一定時間Ｔｘの経過後、、携帯電話機４の機能がロックされるので、携帯電話機４の紛失や盗難による不正使用からユーザを防護することができる。
【００３１】
〔第２の実施の形態〕
【００３２】
次に、本発明の第２の実施の形態について、図３及び図４を参照して説明する。図３は、携帯電話機の構成例を示す図、図４は、ロック解除装置の構成例を示す図である。図３及び図４において、図１及び図２と同一部分には同一符号を付してある。
【００３３】
携帯電話機４は、図３に示すように、コンピュータで構成されており、送受信部１０、送受信制御部１２、ＣＰＵ（Central Processing Unit ）１４、記憶部１６、表示部１８、操作入力部２０、ロック解除コード信号受信部２２、タイマ回路部２４、電源部２６等を備えている。
【００３４】
送受信部１０はアンテナ２８を備え、ＣＰＵ１４の制御により、音声信号や、電子メール等のパケットデータ等の無線信号による送受を行う。送受信制御部１２は、ＣＰＵ１４の制御により、音声信号やパケットデータ信号を搬送波に重畳させるための変調や、無線信号から音声信号やパケットデータを再生する復調等を行う。
【００３５】
ＣＰＵ１４は、記憶部１６に格納されているプログラムを実行し、通話制御の他、ロック制御、ロック解除制御等を行う。ロック制御は、操作入力部２０からの入力設定によるロックと、タイマ回路部２４により時間を監視し、一定時間以上ロック解除コード信号８の受信ができない場合にはダイヤルロック等、ロック解除コード信号８の受信以外の機能抑止を行うものである。ロック解除制御は、操作入力部２０からの入力によるロック解除と、ロック解除コード信号８の検出によりロック解除状態を維持する制御である。また、ＣＰＵ１４は、電源部２６の給電を監視し、ロック解除コード信号８が受信できない場合には、ＣＰＵ１４やロック解除コード信号受信部２２等のロック解除機能部以外に対する給電を停止する。
【００３６】
記憶部１６は、プログラムやコード等を記憶する記憶媒体であって、ＲＯＭ（Read-Only Memory）３０、ＲＡＭ（Random-Access Memory）３２、コード記憶部３４等で構成されている。ＲＯＭ３０はロック・ロック解除プログラム３６やその他のプログラム３８が格納されている。ロック・ロック解除プログラム３６は、操作入力部２０からの設定によるロックや、ロック解除コード信号８が受信できない場合のロック等を実行し、ロック解除コード信号８が到来し、コード記憶部３４に格納されているロック解除コードに一致した場合にロックを解除する処理に用いられる。ＲＡＭ３２は、ワークエリアとして用いられ、コード記憶部３４は不揮発性メモリ等で構成され、ロック解除コードを記憶している。
【００３７】
表示部１８は例えば、ＬＣＤ（Liquid Crystal Display）で構成され、動作状態や操作入力部２０からの入力情報の表示に用いられる。操作入力部２０はキーボード等で構成され、記号キー、カーソルキー、決定キー等を備えている。
【００３８】
ロック解除コード信号受信部２２は、ロック解除装置６から送信される無線信号であるロック解除コード信号８を受信し、このロック解除コード信号８からロック解除コードを検出し、ＣＰＵ１４に入力する。
【００３９】
タイマ回路部２４は、受信ウィンドウの周期Ｔ、受信期間Ｔｏｎ、受信停止期間Ｔｏｆｆの計時、ロック解除コード信号８の到来監視のための一定時間Ｔｘの計時、その他の計時に用いられる。
【００４０】
また、電源部２６は、バッテリ等を備えて構成され、ＣＰＵ１４の制御によりロック解除コード信号受信部２２の受信ウィンドウ以外の期間、即ち、設定される受信期間Ｔｏｎと受信停止期間Ｔｏｆｆの中、受信停止期間Ｔｏｆｆで、ロック解除コード信号受信部２２に対する給電を停止する。
【００４１】
また、ロック解除装置６は、図４に示すように、ＣＰＵ４０、コード記憶部４２、基準クロック発生部４３、基準周期生成部４４、乱数発生部４６、ロック解除コード信号送信部４８、電源部５０で構成され、携帯が容易なカード状に構成されている。
【００４２】
ＣＰＵ４０は、ロック解除コードの生成タイミングを制御するタイミング制御部であって、コード記憶部４２からロック解除コードを読み出し、基準クロック発生部４３の基準クロックにより基準周期生成部４４が発生した基準周期信号に、乱数発生部４６からの乱数値による時間偏差を持たせてロック解除コードに不規則性を付加させたことにより、時間的に不規則な送信タイミングを持つロック解除コード信号８を送信させる。
【００４３】
コード記憶部４２は例えば、不揮発性メモリで構成され、携帯電話機４のロック解除コードと一致するロック解除コードを記憶している。基準周期生成部４４は基準周期信号を生成し、乱数発生部４６は乱数を発生する。そして、ロック解除コード信号送信部４８は、不規則性を持つロック解除コード信号８を微弱電波に重畳させ、無線信号によって携帯電話機４側に送信する。電源部５０は例えば、バッテリで構成される。
【００４４】
次に、このロックシステム２の動作について、図５及び図６を参照して説明する。図５は、携帯電話機４の処理方法及び動作プログラムを示すフローチャート、図６はロック解除装置６の処理方法及び動作プログラムを示すフローチャートである。
【００４５】
携帯電話機４では、電源を導通させると、図５に示すように、ロック・ロック解除プログラム３６が起動し、コード記憶部３４からＩＤコードが読み出され（ステップＳ１）、ロック解除状態（ステップＳ２）となる。このロック解除状態からロック設定を有効にしたか否かの判断が実行され（ステップＳ３）、ロック状態を有効にしなければ（ステップＳ３のＮＯ）、ロック解除状態が維持され、ロック設定を有効にした場合には（ステップＳ３のＹＥＳ）、ロック状態（ステップＳ４）となる。この状態でタイマ回路部２４の初期化が実行され（ステップＳ５）、暗証番号が入力されたか否かの判定が実行され（ステップＳ６）、暗証番号が入力されなければロック状態となる。即ち、ロックのマニュアル解除をすることができない。
【００４６】
この状態からロック解除コード信号８の受信待ちとなり、コード受信の開始タイミング待ちとして一定時間例えば、０．４〔秒〕程度の待機時間の経過を待ち（ステップＳ７）、その待機時間の後、ロック解除コード信号受信部２２でロック解除コード信号８を受信する（ステップＳ８）。ロック解除コード信号８が受信できたか否かを判断し（ステップＳ９）、タイマ回路部２４が受信開始から計時し（ステップＳ１０）、所定時間Ｔｎ例えば、１２〔秒〕が経過したか否か、即ち、カウントアップが生じたか否かを判定し（ステップＳ１１）、カウントアップが生じた場合にはロック状態を維持し（ステップＳ１２）、ステップＳ６に戻る。即ち、所定時間Ｔｎの間にロック解除コード信号８が受信できなければ、自動的に携帯電話機４にロックが掛かる。
【００４７】
暗証番号が入力されると、その暗証番号が正しければ（ステップＳ６のＹＥＳ）、ロック解除状態（ステップＳ１３）となり、タイマ回路部２４の計時が初期化され（ステップＳ１４）、ロック解除コード信号８の到来を待つことになる。
【００４８】
このように、携帯電話機４では、電源を導通させると、正規の暗証番号が入力されればロック解除状態に移行するが、ロック解除コード信号８が所定時間Ｔｎを超えて受信できなければ、ロック状態となるので、盗難や紛失による不正使用から携帯電話機４を防護することができる。
【００４９】
また、ロック解除装置６では、図６に示すように、給電に基づき動作が開始され、ＣＰＵ４０は、コード記憶部４２からＩＤコードを読み出し（ステップＳ２１）、基準周期生成部４４から基準周期信号の入力があったか否かを判断し（ステップＳ２２）、基準周期信号の到来を受け、乱数発生部４６から乱数値の読出しを行い（ステップＳ２３）、これらＩＤコード、基準周期信号及び乱数値を用いてコード送信タイミング、即ち、ロック解除コード信号８の送信タイミングＴｓの計算を行う（ステップＳ２４）。この場合、基準周期信号のタイミングＴｒに対し、ランダム時間偏差として、乱数値による乱数偏差時間を±ΔＴとすれば、送信タイミングＴｓは、
Ｔｓ＝Ｔｒ±ΔＴ                    ・・・(1) 
となる。ここで、Ｔｒ＝５〔ｓｅｃ〕、±ΔＴ＝１〔ｓｅｃ〕とすれば、Ｔｓ＝５±１の範囲で送信周期が変化することになる。
【００５０】
この送信タイミングＴｓがロック解除コード信号送信部４８に設定され（ステップＳ２５）、ロック解除コード信号送信部４８は、送信タイミングＴｓにより、ロック解除コード信号８を送信する（ステップＳ２６）。
【００５１】
次に、ロック解除装置６及び携帯電話機４の動作について、図７及び図８を参照して説明する。図７及び図８は、動作タイミングを示すタイミングチャートである。
【００５２】
図７のＡに示すように、基準クロック発生部４３から基準クロック信号が得られ、この基準クロック信号が基準周期生成部４４に加えられる。基準周期生成部４４は、図７のＢに示すように、基準クロック信号の立上りに同期して立ち上がる基準周期信号を生成する。ＣＰＵ４０には、基準周期信号、乱数発生部４６から乱数値が加えられ、図７のＣに示すように、ロック解除コード信号８が得られる。このロック解除コード信号８は、基準周期信号の立上りを起点とし、既述の式(1) からランダム時間偏差が付与された送信タイミングＴｓが生成される。この場合、送信ロック解除コード信号Ｃ１が持つ送信タイミングＴｓ１は、４〔秒〕（＝５−１）〔秒〕であり、送信ロック解除コード信号Ｃ２が持つ送信タイミングＴｓ２は、６〔秒〕（＝５＋１）〔秒〕であり、送信ロック解除コード信号Ｃ３が持つ送信タイミングＴｓ３は、４．５〔秒〕（＝５−０．５）〔秒〕である。
【００５３】
このような不規則性を持つ送信タイミングＴｓが付与されたロック解除コード信号８が送信されると、携帯電話機４がロック解除コード信号８の受信可能な距離範囲に存在する場合には、図７のＤに示すように、携帯電話機４に受信されることになる。
【００５４】
ところで、携帯電話機４のロック解除コード信号受信部２２には、図７のＥに示すように、受信ウィンドウが設定されており、ロック解除コード信号８の受信期間Ｔｏｎと受信停止期間Ｔｏｆｆとが一定の周期で交互に発生しており、受信期間Ｔｏｎは、ロック解除コード信号８を受信できる十分な時間幅に設定されている。
【００５５】
この場合、ロック解除コード信号受信部２２には、ロック解除コード信号８が受信されており、ロック解除コード信号８から検出されたロック解除コードがＩＤコードに一致することから、携帯電話機４のロックが解除されており、図７のＦに示すように、ロックが解除された状態即ち、動作ロックオフの状態にあり、携帯電話機４は通常状態で使用することができる。なお、図７のＧは、基準時間を示す基準時間スケールである。
【００５６】
このように携帯電話機４とロック解除装置６との距離が微弱無線信号（電波）のロック解除コード信号８の受信可能範囲にある場合には、図７に示す動作となるが、ロック解除装置６から携帯電話機４が移動し、両者間の距離が大きくなると、図８のＤに示すように、携帯電話機４にはロック解除コード信号８が受信不能となる。
【００５７】
この場合、受信期間Ｔｏｎが受信停止期間Ｔｏｆｆに切り替わる時点ｔｓから一定時間Ｔｘの経過が監視され、一定時間Ｔｘとして例えば、Ｔｘ＝１２〔秒〕が経過すると、携帯電話機４側ではロック状態に移行し、携帯電話機４の機能を停止させる。例えば、ダイアルロック状態となる。
【００５８】
また、このロック状態に移行しても、携帯電話機４側では、受信期間Ｔｏｎでロック解除コード信号８の受信が可能であり、携帯電話機４とロック解除装置６との距離が所定距離内に移行した場合には、ロック状態が解除される。この場合、ロック状態にあったとしても、ユーザが暗証番号等のＩＤコードを入力すれば、同様にロックを解除し、携帯電話機４を使用することができる。
【００５９】
なお、図８のＡ〜Ｇは、図７のＡ〜Ｇと対応し、同一であるので、その説明を省略する。また、この実施の形態では、一定時間Ｔｘの計時開始点を受信期間Ｔｏｎが受信停止期間Ｔｏｆｆに切り替わる時点に設定しているが、受信停止期間Ｔｏｆｆから受信期間Ｔｏｎに切り替わる時点を計時開始点に設定してもよいし、また、一定時間Ｔｘはユーザが任意に設定する構成としてもよい。
【００６０】
〔第３の実施の形態〕
【００６１】
次に、本発明の第３の実施の形態について、図９を参照して説明する。図９は、本発明の第３の実施の形態に係る携帯電話機の処理方法及び処理プログラムの処理手順を示すフローチャートである。
【００６２】
この第３の実施の形態においても、図１に示すロックシステム２、図３に示す携帯電話機４、図４に示すロック解除装置６を使用するものとする。
【００６３】
この実施の形態では、電源が投入され（ステップＳ３１）、携帯電話機４が起動状態になると、ロック解除コード信号受信部２２が動作状態となるとともに、ここでＩＤコードの入力を判定し（ステップＳ３２）、入力されたＩＤコードとコード記憶部３４にあるＩＤコードとが一致するか否かを判定し（ステップＳ３３）、ＩＤコードが一致すれば、携帯電話機４のロックを解除し、通常の携帯電話機として動作させる。この場合、ロック解除コード信号受信部２２は、動作状態となる（ステップＳ３４）。
【００６４】
この場合、携帯電話機４からロック解除装置６が離れる等、所定時間Ｔｘ以上に亘ってロック解除コード信号８が未検出か否かが判定され（ステップＳ３５）、ロック解除コード信号８が検出できる場合には通常の携帯電話機４の動作が可能であり、ロック解除コード信号８の検出ができる限り、その状態が維持される。
【００６５】
そして、ロック解除コード信号８が未検出状態となれば（ステップＳ３５のＮＯ）、ロック状態に移行し（ステップＳ３６）、また、ＩＤコードが不正であれば（ステップＳ３３のＮＯ）、ロック状態が維持される。従って、携帯電話機４を不正使用等から防護することができる。
【００６６】
〔第４の実施の形態〕
【００６７】
次に、本発明の第４の実施の形態について、図１０を参照して説明する。図１０は、携帯電話機等に適用される回路装置を示す図である。
【００６８】
回路装置６０は、図１０に示すように、回路基板６２に携帯電話機４（図３）等に適用することができ、ロック機能部６４及びロック解除コード信号受信部２２を搭載したものである。ロック機能部６４は、携帯電話機４のＣＰＵ１４、ＲＯＭ３０、ＲＡＭ３２、コード記憶部３４等から構成され、ロック機能やロック解除機能を実行する制御部等である。また、ロック解除コード信号受信部２２は、既述した通りである。
【００６９】
このような回路基板６２を使用すれば、携帯電話機４やロック機能を備える各種機器のロックシステムを容易に実現することができる。
【００７０】
〔第５の実施の形態〕
【００７１】
次に、本発明の第５の実施の形態について、図１１を参照して説明する。図１１は、ロック解除装置に適用される回路装置を示す図である。
【００７２】
回路装置６６は、図１１に示すように、回路基板６８にロック解除装置６（図４）に適用される機能部を搭載したものである。図１１において、図４と同一部分には同一符号を付し、その説明を省略する。
【００７３】
このような回路基板６８を使用すれば、携帯電話機４やロック機能を備える各種機器のロック解除に用いるロック解除装置６を容易に実現することができる。
【００７４】
〔第６の実施の形態〕
【００７５】
次に、本発明の第６の実施の形態について、図１２、図１３及び図１４を参照して説明する。図１２は、第６の実施の形態に係る携帯電話機のロックシステムを示す図、図１３は、携帯電話機の構成例を示す図、図１４は、ＩＤコード送信装置の構成例を示す図である。図１２、図１３及び図１４において、図１、図３及び図４と同一部分には同一符号を付してある。
【００７６】
この第６の実施の形態のロックシステム２では、特定のユーザのみの使用ないし操作を許容する機器として例えば、携帯電話機４に対し、ロック解除装置６の一例であるＩＤコード送信装置８０がロック解除コード信号８として例えば、電波等の無線信号にＩＤコードを載せたＩＤコード信号８２を間欠送信（間欠通信）し、携帯電話機４がＩＤコード送信装置８０からのＩＤコード信号８２を受信する機能を備えることにより、ＩＤコード信号８２を受信すれば携帯電話機４のダイヤルロック等のロック解除が行える。
【００７７】
このロックシステム２において、ＩＤコード信号８２は、一定距離（例えば、数メートル）程度の到達距離を持つ信号強度を以て送信すればよく、また、周波数（チャネルＣＨ１）を切り替えながら間欠送信をすればよい。また、この実施の形態では、ＩＤコード送信装置８０は、ユーザが操作可能なボタンスイッチ９０を備えることにより、そのスイッチ操作を契機としてＩＤコード信号８２を不定期に送信し、スイッチ操作に基づくＩＤコード信号８２によるロック解除機能（マニュアルロック解除機能）を備えている。
【００７８】
この実施の形態のロックシステム２の特徴は次の通りである。
【００７９】
ａ  各ＩＤコード信号８２の周波数を切り替えるので、ＩＤコード信号８２の無線信号に電波を用いた場合の電波障害や電波傍受によるロック解除情報の漏洩が防止でき（電波傍受阻止）、セキュリティ性が向上する。また、ＩＤコード等の送信データの暗号化を行えば、その暗号化データを携帯電話機４側で解読処理を行えばよく、同様にセキュリティ性が向上する。
【００８０】
ｂ  第１及び第２の実施の形態と同様に、ＩＤコード信号８２の間欠通信の通信間隔に対し、基準周期をｍ〔秒〕とすれば、この基準周期に±ｎ〔秒〕（ｎ＝０，１，２・・・・）を付加し、（ｍ±ｎ）〔秒〕の揺らぎを与えている。送信タイミングに不規則性を持たせてＩＤコード信号８２を送信すれば、ＩＤコード信号８２の混信の確率を避けることができる。また、間欠通信では、バッテリ寿命を延ばす（低消費電力化）ことができる。
【００８１】
ｃ  スイッチ操作によりＩＤコード信号８２を即時（不定期）に送信することができ、定期的な送信タイミングより速くロック解除処理が行え、ロック解除の迅速化が図られる。この場合、ボタンスイッチ９０の押下に対応し、ＩＤコード信号８２を継続して送信すれば、携帯電話機４側のＩＤコード信号８２の受信確度が高まり、ロック解除の迅速化に寄与する。この場合、ＩＤコード信号８２の送信時間は、ボタンスイッチ９０の押下に対応して長時間とすればよく、受信確度が高まる適当な最大時間を設定してもよい。
【００８２】
そこで、このロックシステム２では、図１３に示すように、受信したＩＤコード信号８２によってロックが解除される機器として携帯電話機４、そのロック解除装置６の一例としてＩＤコード送信装置８０が備えられ、ＩＤコード送信装置８０から送信されるＩＤコード信号８２を携帯電話機４で受信し、携帯電話機４のロック解除や携帯電話機４に対するロック設定等のロック操作を行う構成である。ＩＤコード信号８２は、第１の実施の形態のロック解除コード信号８に対応する。
【００８３】
この実施の形態の携帯電話機４は、送受信部１０、表示部１８、操作入力部２０、電源部２６、ＩＤコード受信部８４、制御部８６等を備え、第２の実施の形態と同様に、コンピュータで構成されている。ＩＤコード受信部８４は、ＩＤコード送信装置８０から送信されるＩＤコード信号８２を受信し、制御部８６の制御に基づき、ＩＤコード信号８２からＩＤコードを抽出する。
【００８４】
制御部８６には、送受信制御部１２、ＣＰＵ１４、記憶部１６、タイマ回路部２４が備えられ、記憶部１６は、ＲＯＭ３０、ＲＡＭ３２、ＩＤコード記憶部８８で構成されている。また、制御部８６のＲＯＭ３０には、ロック・ロック解除プログラム３６、その他のプログラム３８が格納されている。ＩＤコード記憶部８８にはＩＤコードが格納され、このＩＤコードは既述のロック解除コードの一例である。
【００８５】
この実施の形態のＩＤコード送信装置８０では、ＩＤコード信号８２を即時送信するための操作入力に用いる入力部としてボタンスイッチ９０が備えられ、定期的に発せられるＩＤコード信号８２とは別に、ボタンスイッチ９０が操作された際に、その操作を契機として即時にＩＤコード信号８２を送信し、ボタンスイッチ９０の押下に対応し、ＩＤコード信号８２が継続して送信される。
【００８６】
このＩＤコード送信装置８０には、図１４に示すように、電源部５０、制御部９２、ＩＤコード送信部９４、入力部９６等が備えられ、制御部９２は、ＣＰＵ４０、基準クロック発生部４３、基準周期生成部４４、乱数発生部４６、ＩＤコード記憶部９８、暗号部１００、周波数切替部１０２を備えている。入力部９６は、既述のボタンスイッチ９０を備えている。
【００８７】
ＣＰＵ４０には、基準周期生成部４４から基準周期、乱数発生部４６から乱数が加えられる。基準周期生成部４４の基準周期は、基準クロック発生部４３で発生させた基準クロック信号により生成される。そして、ＣＰＵ４０は、ロック解除コードの一例であるＩＤコードの生成タイミングを制御するタイミング制御部であって、生成したタイミング信号をＩＤコード記憶部９８及びＩＤコード送信部９４に加える。
【００８８】
ＩＤコード記憶部９８に格納されているＩＤコードは、ＣＰＵ４０の生成タイミングにより読み出され、暗号部１００に加えられる。暗号部１００は、ＩＤコードを暗号化し、暗号化されたＩＤコードがＩＤコード送信部９４に加えられる。また、ＩＤコード記憶部９８から読み出されたＩＤコードは、周波数切替部１０２に加えられ、周波数切替えに用いられる。
【００８９】
次に、ＩＤコードの送信データについて、図１５を参照して説明する。図１５は、ＩＤコード送信部の送信データを示す図であって、Ａは定期通信時の送信データを示す図、Ｂは即時通信時の送信データを示す図である。
【００９０】
各送信データは、ＩＤコード送信部９４によって生成され、定期送信コード１０４は、図１５のＡに示すように、暗号部１００で暗号化されたＩＤコード即ち、暗号化ＩＤコード１０６に定期送信のためのプリアンブル１０８を付加したものである。プリアンブル１０８の長さＴｐ１はＩＤコード受信部８４側の周波数同期に対応する時間長である。この定期送信コード１０４は、ＣＰＵ４０のトリガにより定期的にＩＤコード送信装置８０から携帯電話機４に送信される。
【００９１】
即時送信コード１１０は、図１５のＢに示すように、暗号部１００で暗号化されたＩＤコード即ち、暗号化ＩＤコード１０６に即時送信のためのプリアンブル１１２を付加したものである。プリアンブル１１２の長さＴｐ２はＩＤコード受信部８４側のセンシング周期を超える時間長である。この即時送信コード１１０は、ボタンスイッチ９０のトリガに基いてＩＤコード送信装置８０から携帯電話機４に送信される。プリアンブル１１２の長さＴｐ２を長く設定するのは、即時送信コード１１０が非同期に送信されることから、その即時送信コード１１０を受信側に確実に受信させるためである。
【００９２】
次に、ＩＤコード送信装置８０及び携帯電話機４の動作を、図１６ないし図１９を参照して説明する。図１６ないし図１９は、動作タイミングを示すタイミングチャートである。
【００９３】
この実施の形態においても、第２の実施の形態と同様に、ロック解除コード信号としてのＩＤコード信号の送信タイミングに不規則性を持たせ、間欠通信の通信間隔に揺らぎを付与している。
【００９４】
Ａ) ＩＤコード信号を定期に送信する定期通信（スイッチ操作なし）の場合（図１６、図１７）
【００９５】
間欠通信の通信間隔を形成するため、図１６のＡに示すように、基準クロック発生部４３から基準クロック信号が得られ、この基準クロック信号が基準周期生成部４４に加えられる。基準周期生成部４４は、図１６のＢに示すように、基準クロック信号の立上りに同期して立ち上がる基準周期信号を生成する。ＣＰＵ４０には、基準周期信号、乱数発生部４６から乱数値が加えられ、ロック解除コード信号としてのＩＤコード信号８２が得られる。図１６のＣにおいて、Ｃ０、Ｃ１、Ｃ２、Ｃ３・・・は送信されるＩＤコード信号８２を示している。このＩＤコード信号８２は、基準周期信号の立上りを起点とし、既述の式(1) からランダム時間偏差が付与された送信タイミングＴｕが生成される。この場合、基準周期を５〔秒〕、乱数偏差を±１〔秒〕とすれば、ＩＤコード信号Ｃ１の送信タイミングＴｕ１は、４（＝５−１）〔秒〕であり、ＩＤコード信号Ｃ２の送信タイミングＴｕ２は、６（＝５＋１）〔秒〕であり、ＩＤコード信号Ｃ３の送信タイミングＴｕ３は、４．５（＝５−０．５）〔秒〕である。
【００９６】
このように不規則性を持つ送信タイミングＴｕ１、Ｔｕ２、Ｔｕ３・・・（Ｔｕ１≠Ｔｕ２≠Ｔｕ３≠・・・）が付与された複数のＩＤコード信号Ｃ１、Ｃ２、Ｃ３・・・には通信間隔に揺らぎが付与されている。また、各ＩＤコード信号Ｃ１、Ｃ２、Ｃ３・・・には送信時間Ｔｄが設定されている。
【００９７】
また、各ＩＤコード信号Ｃ０、Ｃ１、Ｃ２、Ｃ３・・・は、ＩＤコードが載せられるとともに、ＩＤコード信号Ｃ０、Ｃ１、Ｃ２、Ｃ３・・・毎に個別に異なる周波数チャネルＣＨ１、ＣＨ２、ＣＨ３、ＣＨ４・・・ＣＨｎ（ＣＨ１≠ＣＨ２≠ＣＨ３≠ＣＨ４・・・）に切り替えて送信される。また、各ＩＤコード信号Ｃ０、Ｃ１、Ｃ２、Ｃ３・・・は微弱無線信号（電波）により送信される。
【００９８】
携帯電話機４のＩＤコード受信部８４には、ＩＤコード信号Ｃ１、Ｃ２、Ｃ３・・・を受信するための受信ウィンドウや受信タイミングが設定されている。図１６のＤは、携帯電話機４のＩＤコード受信部８４の受信ＩＤコード信号を示し、図１６のＤにおいて、Ｄ１は受信タイミング信号、Ｄ２０、Ｄ２１、Ｄ２２、Ｄ２３・・・は、ＩＤコード信号Ｃ０、Ｃ１、Ｃ２、Ｃ３・・・に対応する受信ＩＤコード信号である。受信タイミング信号Ｄ１には、ＩＤコード信号Ｃ０、Ｃ１、Ｃ２、Ｃ３・・・をセンシングするためのセンシング周期Ｔｗが設定され、Ｔｗｏはセンシング時間である。
【００９９】
そこで、ＩＤコード受信部８４が受信したＩＤコード信号Ｄ２０、Ｄ２１、Ｄ２２、Ｄ２３・・・から検出されたＩＤコードとＩＤコード記憶部８８に記憶されているＩＤコードが一致すれば、携帯電話機４のロック解除が行われる。図１６のＥに示すように、電話ロックが解除状態（ＯＦＦ）となり、携帯電話機４は通常の使用が可能となる。なお、図１６のＦは、基準時間を示す基準時間スケールである。
【０１００】
ところが、携帯電話機４とＩＤコード送信装置８０との距離が無線信号のＩＤコード信号８２の受信可能範囲を超えて大きくなると、携帯電話機４ではＩＤコード信号８２の受信が不能となる。
【０１０１】
図１７において、Ａは基準クロック信号、Ｂは基準周期信号、ＣはＩＤコード信号であり、図１６に対応している。
【０１０２】
そこで、一例として、基準周期を５〔秒〕、乱数偏差を±１〔秒〕、ロックタイミングを１２〔秒〕とすれば、ＩＤコード信号Ｃ０の受信の後、受信タイミング信号Ｄ１の立下りエッジから経過時間の監視が行われ、そのエッジから一定時間Ｔｘとして例えば、Ｔｘ＝１２〔秒〕の間にＩＤコード信号が受信できない場合には、図１７のＥに示すように、携帯電話機４側ではロック状態（ＯＮ）に移行し、電話動作機能がロックされ、例えば、ダイアルロック状態となる。図１７のＦは、基準時間を示す基準時間スケールである。
【０１０３】
また、このようなロック状態に移行しても、携帯電話機４側では、ＩＤコード信号８２の受信が可能であり、携帯電話機４とＩＤコード送信装置８０との距離が所定距離内に移行した場合には、ロック状態が解除される。また、ロック状態にあったとしても、ユーザが暗証番号等のＩＤコードを入力すれば、同様にロックを解除し、携帯電話機４を使用することができる。
【０１０４】
Ｂ) ボタンスイッチ９０の操作によるＩＤコード信号を不定期に送信する不定期通信を加えた場合（図１８）
【０１０５】
図１８は、ＩＤコード信号８２の送受信動作を示しており、図１８のＡは、ＩＤコード送信装置８０から送信されたＩＤコード信号、図１８のＢは、受信タイミング信号及び受信ＩＤコード信号を示している。
【０１０６】
図１８のＡにおいて、Ｃ０、Ｃ１、Ｃ２・・・は、定期通信によるＩＤコード信号８２、Ｃｍは、ボタンスイッチ９０の操作によって送信されるＩＤコード信号８２であり、この場合、Ｔ１、Ｔ２は通信周期であって、Ｔ１＝Ｔ２＝５〔秒〕である。Ｔｍはボタンスイッチ９０の押下時間に対応する送信時間である。
【０１０７】
そこで、ボタンスイッチ９０が押下されない場合には、図１８のＡのＣ０、Ｃ１、Ｃ２・・・に示すように、定期通信のＩＤコード信号８２による通信が行われるが、ボタンスイッチ９０が押下されると、それに基づくＩＤコード信号Ｃｍが送信される。このＩＤコード信号Ｃｍは、ボタンスイッチ９０の押下を契機にして発生して送信され、その送信時間Ｔｍは、ボタンスイッチ９０の押下時間に応じた長さとなる。即ち、ＩＤコード信号Ｃｍは、ボタンスイッチ９０の押下に基づくので、定期通信のＩＤコード信号Ｃ０、Ｃ１、Ｃ２・・・に対して即時であり、しかも、その送信時間ＴｍがＩＤコード信号Ｃ０、Ｃ１、Ｃ２・・・のように一定の送信時間ではなく、ボタンスイッチ９０の押下時間に応じて長くなる。
【０１０８】
また、図１８のＢにおいて、Ｄ１は、受信タイミング信号、Ｄ２０、Ｄ２１、Ｄ２２・・・は、ＩＤコード信号Ｃ０、Ｃ１、Ｃ２・・・に対応する受信ＩＤコード信号、Ｄｍは、ボタンスイッチ９０の操作によって送信されるＩＤコード信号Ｃｍに対応する受信ＩＤコード信号であり、Ｔｎは、受信時間である。この場合、Ｔｎ＜Ｔｍとなっており、このような受信時間が送信時間より短くなるのは、受信タイミングのためである。
【０１０９】
このようにボタンスイッチ９０によるＩＤコード信号８２を受信すると、携帯電話機４側には、図１９のＡに示すＩＤコード信号Ｃｍに対応し、図１９のＢに示すように、受信ＩＤコード信号Ｄｍが得られる。
【０１１０】
図１９のＡ、Ｂは、ボタンスイッチ９０によるＩＤコード信号８２の送受信タイミングを拡大して示している。時点ｔ１でボタンスイッチ９０の押下が生じ、その押下に応じて送信時間ＴｍのＩＤコード信号Ｃｍが発生し、ＩＤコード信号Ｃｍは時点ｔ２で解除されている。このＩＤコード信号Ｃｍはボタンスイッチ９０の押下に基づき即時送信が可能であり、送信時間Ｔｍは、例えば、３２２〔ｍ秒〕となっている。
【０１１１】
これに対し、携帯電話機４には図１９のＢに示すように、受信ＩＤコード信号Ｄｍが得られる。送信ＩＤコード信号Ｃｍの立上りの時点ｔ１から最初の受信タイミング信号Ｄ１に同期して受信ＩＤコード信号Ｄｍが立ち上がり、この受信ＩＤコード信号Ｄｍは時点ｔ２で立ち下がる。このため、受信時間Ｔｎは送信時間Ｔｍより短くなっている。図１９のＢにおいて、Ｔｗｏはセンシング時間であって、例えば、４〔ｍ秒〕、Ｔｗはセンシング周期であって、例えば、２５０〔ｍ秒〕である。
【０１１２】
次に、この場合の携帯電話機４及びＩＤコード送信装置８０の動作について、図２０及び図２１を参照して説明する。図２０は、携帯電話機４の処理方法及び動作プログラムの処理手順を示すフローチャート、図２１は、ＩＤコード送信装置８０の処理方法及び動作プログラムの処理手順を示すフローチャートである。
【０１１３】
図２０に示すように、電源を投入すると、ＩＤコード記憶部８８からＩＤコードの読出しが実行され（ステップＳ４１）、ロック解除状態となる（ステップＳ４２）。ロック設定が有効であるか否かが判定され（ステップＳ４３）、ロック設定が有効でなければ（ステップＳ４３のＮＯ）、ロック解除状態が維持され、ロック設定が有効であれば（ステップＳ４３のＹＥＳ）、ロック状態に移行する（ステップＳ４４）。タイマ回路部２４の初期化を行い（ステップＳ４５）、マニュアル解除操作として例えば、暗証番号が入力されたか否かが判定され（ステップＳ４６）、暗証番号が入力された場合には（ステップＳ４６のＹＥＳ）、マニュアルによるロック解除が実行され、ロック解除状態となる（ステップＳ４７）。このロック解除状態への移行に同期し、タイマ回路部２４の初期化が行われる（ステップＳ４８）。
【０１１４】
また、ステップＳ４６において、暗証番号の入力がなければ（ステップＳ４６のＮＯ）、一定時間のセンシングタイミングとして例えば、２５０〔ｍ秒〕だけ待ち（ステップＳ４９）、ＩＤコード受信部８４でＩＤコード信号８２を受信し（ステップＳ５０）、データなしの場合には一定の時間間隔として例えば、４〔ｍ秒〕、データありの場合には一定時間間隔として例えば、２２〔ｍ秒〕を待機する。ＩＤコード信号が受信できたか否かが判定され（ステップＳ５１）、ＩＤコード信号が受信できれば（ステップＳ５１のＹＥＳ）、ロック解除状態（ステップＳ４７）に移行し、ＩＤコード信号が受信できなければ（ステップＳ５１のＮＯ）、タイマ回路部２４のカウントアップを開始し（ステップＳ５２）、タイマ回路部２４が一定時間のタイムアウトとして例えば、１２〔秒〕が経過したか否かが判定され（ステップＳ５３）、一定時間が経過しなければ（ステップＳ５３のＮＯ）、ステップＳ４６に戻り、ステップＳ４６ないしステップＳ５３の処理を実行する。また、一定時間が経過すれば（ステップＳ５３のＹＥＳ）、ＩＤコード信号が受信できないのであるから、ロック状態に移行し（ステップＳ５４）、ステップＳ４６に戻る。
【０１１５】
また、このような携帯電話機４に対するロック解除を行うロック解除装置としてのＩＤコード送信装置８０の動作プログラムの処理には、入力部９６のボタンスイッチ９０からの入力の有無に応じた処理、送信周波数の切替え処理等が含まれる。
【０１１６】
そこで、ＩＤコード送信装置８０では、図２１に示すように、電源が投入されると、ＩＤコード記憶部９８からＩＤコードが読み出され（ステップＳ６１）、入力部９６のボタンスイッチ９０からの入力があるか否かが判定され（ステップＳ６２）、ボタンスイッチ９０の入力がない場合には（ステップＳ６２のＮＯ）、基準周期信号の生成があるか否かが判定され（ステップＳ６３）、基準周期信号の生成がなければ（ステップＳ６３のＮＯ）、ステップＳ６２、Ｓ６３の処理が繰り返され、基準周期信号の生成があれば（ステップＳ６３のＹＥＳ）、乱数発生部４６から乱数値が読み出され（ステップＳ６４）、その乱数値と基準周期信号とからＩＤコードの送信タイミングの計算が行われる（ステップＳ６５）。この送信タイミングは、基準周期を５〔秒〕とすれば、乱数値に応じた値±１を加算することにより（５±１）〔秒〕を計算する。この場合、ボタンスイッチ９０の入力がない場合には、ショートプリアンブル（図１５のＡのプリアンブル１０８）が設定される。そして、ＩＤコード送信部９４には、ＣＰＵ４０で算出された送信タイミングが設定され（ステップＳ６６）、また、送信周波数の切替えが行われ（ステップＳ６７）、ＩＤコードを含む送信データの送信が行われ（ステップＳ６８）、ステップＳ６２に戻る。
【０１１７】
また、ボタンスイッチ９０の操作により、入力が与えられれば（ステップＳ６２のＹＥＳ）、ステップＳ６３ないしＳ６５の処理を飛び越し、ステップＳ６６の送信タイミングの設定が行われる（ステップＳ６６）。この場合、ボタンスイッチ９０の入力に基づき、ロングプリアンブル（図１５のＢのプリアンブル１１２）が設定される。即ち、ボタンスイッチ９０の入力の継続により、同一の送信データが連続して送信されることになる。
【０１１８】
この実施の形態によれば、無線通信を用いた場合の電波障害が軽減し、また、電波傍受も防止でき、携帯電話機をロック及び／又は解除することができる。また、間欠的に送受を行うため、バッテリ寿命を延ばすことが可能となる。
【０１１９】
次に、複数のＩＤコード送信装置のＩＤコード信号の関係について、図２２を参照して説明する。図２２は、複数のＩＤコード送信装置８０１、８０２・・・８０Ｎの各ＩＤコード信号の不規則性を示す図である。
【０１２０】
複数のＩＤコード送信装置８０１、８０２・・・８０Ｎの各ＩＤコード信号には、送信タイミングとして送信周期（ｍ±ｎ）（ｎ＝１、２・・・）が設定されて揺らぎが生じ、各ＩＤコード送信装置８０１、８０２・・・８０Ｎの各ＩＤコード信号の混信が回避される。この結果、ロック解除処理の信頼性が高められる。
【０１２１】
〔第７の実施の形態〕
【０１２２】
次に、本発明の第７の実施の形態について、図２３を参照して説明する。図２３は、第７の実施の形態に係るＩＤコード信号の周波数切替えを示す図である。図２３において、図１６、図１７と同一部分には同一符号を付してある。
【０１２３】
この実施の形態においても、既述のロックシステム２（図１２、図１３、図１４）、定期送信コード（図１５のＡ）、即時送信コード（図１５のＢ）、動作プログラム（図２０、図２１）等を用いる。
【０１２４】
第６の実施の形態では、図１６及び図１７に示したように、ＣＨ１、ＣＨ２、ＣＨ３、ＣＨｎの順で周波数チャネルを切り替えているのに対し、この実施の形態では、ＩＤコード記憶部９８に格納されたＩＤコードを基に、周波数チャネルの組合せを算出し、これに基づいて、ＩＤコード信号毎に異なる周波数を設定してもよい。
【０１２５】
図２３は、この一例を示しており、Ａは、ＩＤコード「＊＊＊＊＊＊＊＊００」の場合であって、周波数チャネルＣＨ１、ＣＨ２、ＣＨ３、ＣＨｎ（→ＣＨ１・・・）、Ｂは、ＩＤコード「＊＊＊＊＊＊＊＊０１」の場合であって、周波数チャネルＣＨ２、ＣＨ１、ＣＨｎ、ＣＨ３（→ＣＨ２・・・）、Ｃは、ＩＤコード「＊＊＊＊＊＊＊＊１０」の場合であって、周波数チャネルＣＨｎ、ＣＨ３、ＣＨ２、ＣＨ１（→ＣＨｎ・・・）、Ｄは、ＩＤコード「＊＊＊＊＊＊＊＊１１」の場合であって、周波数チャネルＣＨ２、ＣＨｎ、ＣＨ１、ＣＨ３（→ＣＨ２・・・）の場合を示している。
【０１２６】
このような周波数チャネルの組合せにより、ＩＤコード信号の混信による不都合を回避することができる。
【０１２７】
〔第８の実施の形態〕
【０１２８】
次に、本発明の第８の実施の形態について、図２４及び図２５を参照して説明する。図２４は、第８の実施の形態に係るロックシステム及び携帯電話機の構成例を示す図、図２５は、ロックシステム及びＩＤコード送信装置の構成例を示す図である。図２４及び図２５において、図１３及び図１４と同一部分には同一符号を付してある。
【０１２９】
第６の実施の形態では、ＩＤコード送信装置８０にボタンスイッチ９０を備え、ボタンスイッチ９０の押下に応じてＩＤコード信号８２を送信し、それを携帯電話機４で受信することによりロック解除を行う構成としたが、この実施の形態（図２４及び図２５）のように、ボタンスイッチ９０を備えない構成とし、定期通信のみでロック解除を行える構成としてもよい。その他の構成は第６の実施の形態と同様であるので、その説明を省略する。
【０１３０】
〔第９の実施の形態〕
【０１３１】
次に、本発明の第９の実施の形態について、図２６を参照して説明する。図２６は、第９の実施の形態に係るロックシステム及びロック解除装置の構成例を示す図である。図２６において、図４と同一部分には同一符号を付してある。
【０１３２】
第１ないし第５の実施の形態（図１ないし図１１）では、ロック解除コード信号８の定期通信によるロック解除について説明したが、この実施の形態では、図２６に示すように、ロック解除装置６（図４）にボタンスイッチ９０を備える入力部９６を設置し、第６の実施の形態で説明した通り、ボタンスイッチ９０の押下に応じてロック解除コード信号８を不定期に送信する構成としてもよい。
【０１３３】
〔その他の実施の形態〕
【０１３４】
(1) 第４の実施の形態及び第５の実施の形態では、第１、第２又は第３の実施の形態についての回路装置について説明しているが、第４の実施の形態の回路装置６０は、ロック解除コード信号受信部２２をＩＤコード受信部８４（図１３）、また、第５の実施の形態の回路装置６６は、ロック解除コード信号送信部４８をＩＤコード送信部９４に変更すれば、第６ないし第８の実施の形態にも適用することができる。
【０１３５】
(2) 上記実施の形態では、ロック解除コード信号８によってロックを解除する機器として携帯電話機４を例示したが、本発明は、このような携帯電話機に限定されるものではなく、例えば、図２７に示すように、携帯情報端末機（ＰＤＡ：Personal Digital Assistant）７０のロックシステム２、図２８に示すように、パーソナルコンピュータ７２のロックシステム２、図２９に示すように、ディジタルカメラ７４のロックシステム２、図３０に示すように、自動車７６のドアロックやエンジンロック等のロックシステム２等にも適用できる。図２７ないし図３０において、図１と同一部分には同一符号を付し、その説明を省略する。
【０１３６】
(3) 上記実施の形態では、ロック解除コード信号８の送信タイミングとして例えば基準周期を５〔秒〕、乱数による時間偏差（ばらつき）を±１〔秒〕とし、送信間隔を（５±１）〔秒〕としたが、送信タイミングは、このような数値に限定されるものではない。斯かる送信タイミングの設定により、解除コード信号をロック解除に用いる複数の機器が隣接しても、ロック解除コード信号の混信を防止でき、ロックやロック解除の信頼性を維持できる。
【０１３７】
(4) 上記実施の形態では、ロック解除コード信号８の受信期間Ｔｏｎを除き、ロック解除コード信号受信部２２の動作を停止し、又は給電を解除しているが、ロック解除コード信号受信部２２だけでなく、他の機能部の動作や給電を停止させてもよく、より低消費電力化を図ることができる。
(5) 上記実施の形態では、携帯電話機側でＩＤコード等のロック解除コードデータの暗号解読を行っているが、この暗号解読処理について、制御部内の主ＣＰＵで行ってもよく、また、別のＣＰＵを用いてもよい。
【０１３８】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１３９】
（付記１）  ロック解除信号によりロックを解除するロックシステムであって、
送信タイミングに不規則性を持たせたロック解除信号を送信する送信部と、
前記送信部から送信される前記ロック解除信号が所定時間内に受信できた場合にロックを解除するロック解除部と、
を備えることを特徴とするロックシステム。
【０１４０】
（付記２）  付記１のロックシステムにおいて、
前記ロック解除信号を受信する受信部を備え、該受信部に前記ロック解除信号の受信期間と受信停止期間とが設定され、前記受信停止期間で前記受信部に対する給電を停止させる構成としたことを特徴とするロックシステム。
【０１４１】
（付記３）  付記１のロックシステムにおいて、
前記送信部は、送信する前記ロック解除信号の周波数を異ならせて送信することを特徴とするロックシステム。
【０１４２】
（付記４）  付記１のロックシステムにおいて、
前記ロック解除信号を送信させるスイッチを備え、
前記スイッチの操作を受け、前記送信部が前記ロック解除信号を送信することを特徴とするロックシステム。
【０１４３】
（付記５）  ロック状態にある機器に対し、ロック解除信号を送信するロック解除装置であって、
送信タイミングに不規則性を持たせたロック解除信号を送信する送信部を備えることを特徴とするロック解除装置。
【０１４４】
（付記６）  付記５のロック解除装置において、
ロック解除コードを記憶する記憶部と、
基準周期信号を生成する基準周期生成部と、
不規則情報を生成する不規則情報生成部とを備え、
前記記憶部から読み出したロック解除コードと、前記基準周期生成部に生成させた前記基準周期信号と、前記不規則情報生成部に生成させた前記不規則情報とから送信タイミングに不規則性を持たせた前記ロック解除信号を送信させることを特徴とするロック解除装置。
【０１４５】
（付記７）  付記５のロック解除装置において、
前記ロック解除信号に付与される前記不規則性は、乱数を用いて設定されたことを特徴とするロック解除装置。                                                                
【０１４６】
（付記８）  付記５のロック解除装置において、
前記送信部は、送信する前記ロック解除信号の周波数を異ならせて送信することを特徴とするロック解除装置。
【０１４７】
（付記９）  付記５のロック解除装置において、
前記ロック解除信号を送信させるスイッチを備え、前記スイッチの操作を受け、前記送信部が前記ロック解除信号を送信することを特徴とするロック解除装置。
【０１４８】
（付記１０）  ロック解除信号が所定時間中に受信できなければロック状態に制御される機器であって、
前記ロック解除信号を受信する受信部と、
前記受信部に前記ロック解除信号の受信期間と受信停止期間とを設定し、前記受信停止期間で前記受信部の動作を停止させる受信制御部と、
を備えることを特徴とする機器。
【０１４９】
（付記１１）  付記１０の機器において、
前記受信制御部は、前記受信停止期間で前記受信部の給電を停止させることを特徴とする機器。
【０１５０】
（付記１２）  ロック解除信号が所定時間中に受信できなければロック状態に制御される携帯端末装置であって、
前記ロック解除信号を受信する受信部と、
前記受信部に前記ロック解除信号の受信期間と受信停止期間とを設定し、前記受信停止期間で前記受信部の動作を停止させる受信制御部と、
を備えることを特徴とする携帯端末装置。
【０１５１】
（付記１３）  付記１２の携帯端末装置において、
前記受信制御部は、前記受信停止期間で前記受信部の給電を停止させることを特徴とす携帯端末装置。
【０１５２】
（付記１４）  ロック状態にある機器のロックをロック解除信号により解除するロック解除方法であって、
送信タイミングに不規則性を持たせたロック解除信号を送信する処理を含むことを特徴とするロック解除方法。
【０１５３】
（付記１５）  付記１４のロック解除方法において、
記憶部からロック解除コードを読み出す処理と、
基準周期信号を生成する処理と、
不規則情報を生成する処理と、
前記記憶部から読み出した前記ロック解除コードと、前記基準周期信号と、前記不規則情報とから送信タイミングに不規則性を持たせた前記ロック解除信号を送信させる処理と、
を含むことを特徴とするロック解除方法。
【０１５４】
（付記１６）  付記１４のロック解除方法において、
前記ロック解除信号の周波数を異ならせて送信する処理を含むことを特徴とするロック解除方法。
【０１５５】
（付記１７）  付記１４のロック解除方法において、
スイッチ操作を受け、前記ロック解除信号を送信する処理を含むことを特徴とするロック解除方法。
【０１５６】
（付記１８）  ロック解除信号が所定時間中に受信できなければロック状態に制御される機器のロック解除方法であって、
ロック解除信号を受信する処理と、
前記ロック解除信号の受信ウィンドウを設定し、その受信ウィンドウで受信される前記ロック解除信号により前記ロック状態を解除する処理と、
を含むことを特徴とするロック解除方法。
【０１５７】
（付記１９）  付記１８のロック解除方法において、
ロック解除信号の受信期間以外の期間で給電を停止させる処理を含むことを特徴とするロック解除方法。
【０１５８】
（付記２０）  コンピュータにより実行され、ロック状態にある機器のロックをロック解除信号により解除するロック解除プログラムであって、
送信タイミングに不規則性を持たせたロック解除信号を送信するステップを含むことを特徴とするロック解除プログラム。
【０１５９】
（付記２１）  付記２０のロック解除プログラムにおいて、
記憶部からロック解除コードを読み出すステップと、
基準周期信号を生成するステップと、
不規則情報を生成するステップと、
前記記憶部から読み出した前記ロック解除コードと、前記基準周期信号と、前記不規則情報とから送信タイミングに不規則性を持たせた前記ロック解除信号を送信させるステップと、
を含むことを特徴とするロック解除プログラム。
【０１６０】
（付記２２）  コンピュータにより実行され、ロック解除信号が所定時間中に受信できなければロック状態に制御される機器のロック解除プログラムであって、
受信されたロック解除信号を取り込むステップと、
前記ロック解除信号の受信期間と受信停止期間とを設定し、前記受信期間で受信される前記ロック解除信号により前記ロック状態を解除するステップと、
を含むことを特徴とするロック解除プログラム。
【０１６１】
（付記２３）  付記２２のロック解除プログラムにおいて、
前記ロック解除信号の前記受信停止期間で給電を停止させるステップを含むことを特徴とするロック解除プログラム。
【０１６２】
（付記２４）  付記２２又は２３のロック解除プログラムにおいて、
前記機器が携帯電話機であることを特徴とするロック解除プログラム。
【０１６３】
（付記２５）  ロック状態にある機器に対し、ロック解除信号を送信するロック解除装置に搭載される回路装置であって、
送信タイミングに不規則性を持たせたロック解除信号を送信する送信部を回路基板に備えることを特徴とする回路装置。
【０１６４】
（付記２６）  付記２５の回路装置において、
ロック解除コードを記憶する記憶部と、
基準周期信号を生成する基準周期生成部と、
不規則情報を生成する不規則情報生成部と、
前記記憶部から読み出したロック解除コードと、前記基準周期生成部に生成させた前記基準周期信号と、前記不規則情報生成部に生成させた前記不規則情報とから送信タイミングに不規則性を持たせた前記ロック解除信号を送信させる送信部と、
を回路基板に備えることを特徴とする回路装置。
【０１６５】
（付記２７）  ロック解除信号が所定時間中に受信できなければロック状態に制御される機器に搭載される回路装置であって、
前記ロック解除信号を受信する受信部と、
前記受信部に前記ロック解除信号の受信期間と受信停止期間とを設定し、前記受信停止期間で前記受信部の動作を停止させる受信制御部と、
を回路基板に備えることを特徴とする回路装置。
【０１６６】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１６７】
本発明によれば、携帯電話機等の各種機器に対する機能のロック又はそのロック解除にロック解除信号を用いるロックシステムに関し、混信等の受信障害による誤動作を防止でき、ロック解除信号の受信に受信ウィンドウを設定して消費電力を低減しており、有用である。
【図面の簡単な説明】
【０１６８】
【図１】第１の実施の形態に係る携帯電話機のロックシステムを示す図である。
【図２】ロック解除コード信号及び受信ウィンドウを示すタイミングチャートである。
【図３】第２の実施の形態に係るロックシステムの携帯電話機の一例を示す図である。
【図４】第２の実施の形態に係るロックシステムのロック解除装置の一例を示す図である。
【図５】携帯電話機の動作を示すフローチャートである。
【図６】ロック解除装置の動作を示すフローチャートである。
【図７】ロック解除コード信号の生成動作を示すタイミングチャートである。
【図８】ロック解除コード信号の生成動作を示すタイミングチャートである。
【図９】第３の実施の形態に係る携帯電話機の動作を示すフローチャートである。
【図１０】第４の実施の形態に係る回路装置を示す図である。
【図１１】第５の実施の形態に係る回路装置を示す図である。
【図１２】第６の実施の形態に係る携帯電話機のロックシステムを示す図である。
【図１３】携帯電話機の構成例を示す図である。
【図１４】ＩＤコード送信装置の構成例を示す図である。
【図１５】ＩＤコード送信部の送信データを示す図である。
【図１６】動作タイミングを示すタイミングチャートである。
【図１７】動作タイミングを示すタイミングチャートである。
【図１８】動作タイミングを示すタイミングチャートである。
【図１９】動作タイミングを示すタイミングチャートである。
【図２０】携帯電話機の処理手順を示すフローチャートである。
【図２１】ＩＤコード送信装置の処理手順を示すフローチャートである。
【図２２】複数のＩＤコード送信装置の各ＩＤコード信号の不規則性を示す図である。
【図２３】第７の実施の形態に係るＩＤコード信号の周波数切替えを示す図である。
【図２４】第８の実施の形態に係るロックシステム及び携帯電話機の構成例を示す図である。
【図２５】ロックシステム及びＩＤコード送信装置の構成例を示す図である。
【図２６】第９の実施の形態に係るロックシステム及びロック解除装置の構成例を示す図である。
【図２７】その他の実施の形態に係るＰＤＡのロックシステムを示す図である。
【図２８】その他の実施の形態に係るパーソナルコンピュータのロックシステムを示す図である。
【図２９】その他の実施の形態に係るディジタルカメラのロックシステムを示す図である。
【図３０】その他の実施の形態に係る自動車のロックシステムを示す図である。
【符号の説明】
【０１６９】
２  ロックシステム
４  携帯電話機
６  ロック解除装置
８  ロック解除コード信号
１０  送受信部
１２  送受信制御部
１４、４０  ＣＰＵ
１６  記憶部
１８  表示部
２０  操作入力部
２２  ロック解除コード信号受信部
２４  タイマ回路部
２６  電源部
３０  ＲＯＭ
３２  ＲＡＭ
３４、４２  コード記憶部
４３  基準クロック発生部
４４  基準周期生成部
４６  乱数発生部
４８  ロック解除コード信号送信部
８０  ＩＤコード送信装置
８２  ＩＤコード信号
８４  ＩＤコード受信部
９０  ボタンスイッチ
９４  ＩＤコード送信部
９６  入力部
【図１】
2007274670.tif 000003
【図２】
2007274670.tif 000004
【図３】
2007274670.tif 000005
【図４】
2007274670.tif 000006
【図５】
2007274670.tif 000007
【図６】
2007274670.tif 000008
【図７】
2007274670.tif 000009
【図８】
2007274670.tif 000010
【図９】
2007274670.tif 000011
【図１０】
2007274670.tif 000012
【図１１】
2007274670.tif 000013
【図１２】
2007274670.tif 000014
【図１３】
2007274670.tif 000015
【図１４】
2007274670.tif 000016
【図１５】
2007274670.tif 000017
【図１６】
2007274670.tif 000018
【図１７】
2007274670.tif 000019
【図１８】
2007274670.tif 000020
【図１９】
2007274670.tif 000021
【図２０】
2007274670.tif 000022
【図２１】
2007274670.tif 000023
【図２２】
2007274670.tif 000024
【図２３】
2007274670.tif 000025
【図２４】
2007274670.tif 000026
【図２５】
2007274670.tif 000027
【図２６】
2007274670.tif 000028
【図２７】
2007274670.tif 000029
【図２８】
2007274670.tif 000030
【図２９】
2007274670.tif 000031
【図３０】
2007274670.tif 000032